(57)【要約】【課題】  本発明は携帯電話機内に記憶された電話帳データやメールデータをネットワークを利用して保存するシステムに関し、特に本発明は予めネットワークを介して携帯電話機内のデータをサーバや、アダプタに記憶し、電話帳データ等の保存を確実に行う携帯電話機のデータ保存システムを提供するものである。【解決手段】  本発明は携帯電話機に記録されたデータをネットワークを介してサーバに記録し、又はアダプタに記録し、携帯電話機を紛失し携帯電話機内に記録されたデータが失われた場合でも安全に保護され、後に使用することを可能とするものである。【選択図】図６
2005333409.tif 000002
【特許請求の範囲】
【請求項１】
管理サーバと、携帯電話機がネットワークを介して接続された携帯電話機のデータ保存システムにおいて、
前記携帯電話機からデータを読み出す読み出し手段と、
該読み出したデータをネットワークを介して管理サーバに入力する入力手段と、
該入力したデータを記録する記録手段と、
を有することを特徴とする携帯電話機のデータ保存システム。
【請求項２】
携帯電話機と該携帯電話機を載置するアダプタを有し、
該アダプタには前記携帯電話機内のデータを記憶する記憶手段が設けられていることを特徴とする携帯電話機のデータ保存システム。
【請求項３】
前記データは、電話帳データであることを特徴とする請求項１、又は２記載の携帯電話機のデータ保存システム。
【請求項４】
前記データは、電子メールデータであることを特徴とする請求項１、又は２記載の携帯電話機のデータ保存システム。
【発明の詳細な説明】
【技術分野】
【０００１】
本発明は携帯電話機内に記憶された電話帳データやメールデータ等のデータをネットワークを利用して保存するシステムに関する。
【背景技術】
【０００２】
従来、他人とコミュニケーションする場合、固定電話機を使用していた。しかし、今日携帯電話機が普及し、いつでもどこでも他人とコミュニケーションを自由に行えるようになった。
【０００３】
また、携帯電話機内には、電話帳データやメールデータを予め登録できる機能が搭載されており、これを利用することにより即座に相手に電話することができる。例えば、特許文献１には上記技術が開示されている。
【特許文献１】特開平１０−１６４２１０号公報
【発明の開示】
【発明が解決しようとする課題】
【０００４】
しかしながら、上記携帯電話機を使用していると、携帯電話機を紛失し、又携帯電話機を破損する場合がある。さらに、携帯電話機を盗まれる場合もある。かかる場合、携帯電話機内の電話帳データ等のデータも使用できなくなる。
【０００５】
そこで、電話帳データやメールデータ等のデータを予め保存しておく必要がある。本発明は予めネットワークを介して携帯電話機内のデータをサーバや、アダプタに記憶し、電話帳データ等の保存を確実に行う携帯電話機のデータ保存システムを提供するものである。
【課題を解決するための手段】
【０００６】
上記課題は本発明によれば、管理サーバと、携帯電話機がネットワークを介して接続された携帯電話機のデータ保存システムにおいて、前記携帯電話機からデータを読み出す読み出し手段と、該読み出したデータをネットワークを介して管理サーバに入力する入力手段と、該入力したデータを記録する記録手段とを有する携帯電話機のデータ保存システムを提供することによって達成できる。
【０００７】
また、上記課題は本発明によれば、携帯電話機と該携帯電話機を載置するアダプタを有し、該アダプタには前記携帯電話機内のデータを記憶する記憶手段が設けられている携帯電話機のデータ保存システムを提供することによって達成できる。
【０００８】
また、前記データは、例えば電話帳データであり、又は電子メールデータである。
【発明の効果】
【０００９】
本発明は上記構成により、電話帳データ等の携帯電話機に記憶したデータを安全、確実に保存することができる。
【発明を実施するための最良の形態】
【００１０】
以下、本発明の実施形態を図面に基づいて詳細に説明する。
図１は本発明の携帯電話機のデータ保存システムを説明するシステムの構成図である。同図に示すように、本システムは管理サーバ（以下、サーバで示す）１と多数の携帯電話機２がネットワークによって接続されている。ここで、ネットワークによって接続された携帯電話機２として、例えばユーザが所有する携帯電話機が対応する。
【００１１】
尚、管理サーバ１に接続する携帯電話機２は、携帯電話機に限らずＰＤＡ（parsonal digital assistants）等であっても利用可能である。
図２は上記管理サーバ１の模式図である。同図において、サーバ１は、ＣＰＵ３、ＲＯＭ４、ＲＡＭ５で構成され、ＣＰＵ３はＲＯＭ４に記録されたシステムプログラムに従って処理を行い、必要に応じてサーバ１に接続された記憶装置８にアクセスする。
【００１２】
また、ディスプレイ６には必要な情報が表示され、通信回線を介して情報の授受が行われる。尚、本例のシステム制御はＲＯＭ６に記憶されたプログラムに従って実行されるが、同図に示すようにサーバ１に配設されたメディアドライバ７にＣＤ−ＲＯＭ、フレキシブルディスク、ＭＯ等の記録媒体９を装着し、この記録媒体９から上記プログラムを読み出して使用する構成としてもよい。
【００１３】
本例においては、上記記憶装置８に携帯電話機２内のデータを保存する構成であり、例えば本システムに契約したユーザの携帯電話機２の電話帳データが保存されている。尚、電話帳データに限らず、メールデータ等の他のデータも保存可能である。
【００１４】
図３は上記携帯電話機２の外観図である。携帯電話機２には表示部１０と、アンテナ１１が設けられている。また、携帯電話機２にはカメラ１２も設けられている。さらに、携帯電話機２の下部には後述するアダプタに接続するためのコネクタ１３も設けられている。
【００１５】
また、図４はアダプタの外観図である。アダプタ１４は、携帯電話機２を載せるための台部１４ａ、及びガイド部１４ｂ、表示部１４ｃ、コネクタ１４ｄ、電源１４ｅで構成されている。また、図５は上記アダプタ１４に携帯電話機２を載せた状態を示す図である。同図に示すように、コネクタ１４ｄは携帯電話機２に設けられたコネクタ１３に接続されている。
【００１６】
また、図６はアダプタ１４内の回路図である。コネクタ１４ｄには電源部１５、信号入力部１６が接続され、電源部１５から携帯電話機２に電源供給が行われる。また、信号入力部１６には携帯電話機２から電話帳データが入力する。信号入力部１６に入力した電話帳データは選択回路１７に入力する。
【００１７】
選択回路１７はメモリ１９のエリア１９ａ〜１９ｅの１つを選択する回路である。すなわち、選択回路１７は携帯電話機２から出力される電話帳データを５枚分記憶できる容量を有する。したがって、同じ電話帳データであれば、日付を更新して記録することができる。
【００１８】
例えば、図６にはメモリ１９のエリア１９ａ〜１９ｅに５月１日から５月５日までの電話帳データが記憶されている。すなわち、選択回路１７によって毎日１回ずつ携帯電話機２から電話帳データが読み出され、順次更新されたデータである。
【００１９】
したがって、このようにアダプタ１４に図６に示すような回路を設けることによって携帯電話機２の電話帳データを登録することができ、例え携帯電話機２を紛失したり、盗難にあった場合でも電話帳データだけはアダプタ１４に記憶されており、電話帳データが、安全に保持されている。
【００２０】
以上のように、アダプタ１４や前述のサーバ１に電話帳データを記憶し、安全に保持することができるが、電話帳データに限らず携帯電話機２に記憶されたデータであればサーバ１やアダプタ１４に記憶することができる。例えば、メールデータや予定表データ等のデータをアダプタ１４に記録し、安全に保持することができる。
【００２１】
尚、上記構成に限らず、図７に示すようにアダプタ１４に記録媒体２０の挿入口２１を設け、記録媒体２０を装着して電話帳データ等のデータを記憶する構成としてもよい。例えば、挿入口２１にはコンパクトフラッシュ（登録商標）カードやスマートメディア、ＳＤカード、メモリースティック、フレキシブルディスク、ＰＣカード、光磁気ディスク、コンパクトディスクレコーダブル（ＣＤ−Ｒ）等の記憶媒体２０を装着し、電話帳データ等のデータを記憶する構成としてもよい。
【図面の簡単な説明】
【００２２】
【図１】本発明の携帯電話機のデータ保存システムのシステム構成図である。
【図２】管理サーバの模式図である。
【図３】携帯電話機の外観図である。
【図４】アダプタの外観図である。
【図５】アダプタに携帯電話機を乗せた状態を示す外観図である。
【図６】アダプタ内の回路図である。
【図７】アダプタに記録媒体の挿入口を設けた構成を示す図である。
【符号の説明】
【００２３】
１  管理サーバ（サーバ）
２  携帯電話機
３  ＣＰＵ
４  ＲＯＭ
５  ＲＡＭ
６  ディスプレイ
７  メディアドライバ
８  記憶装置
４  記録媒体
１０  表示部
１１  アンテナ
１２  カメラ
１３  コネクタ
１４  アダプタ
１４ａ  台部
１４ｂ  ガイド部
１４ｃ  表示部
１４ｄ  コネクタ
１４ｅ  電源
１５  電源部
１６  信号入力部
１７  選択回路
１９  メモリ
２０  記録媒体
２１  挿入口
【図１】
2005333409.tif 000003
【図２】
2005333409.tif 000004
【図３】
2005333409.tif 000005
【図４】
2005333409.tif 000006
【図５】
2005333409.tif 000007
【図６】
2005333409.tif 000008
【図７】
2005333409.tif 000009